(57)【要約】【課題】水の浄化濾過、有用菌培養機能を具えた鑑賞魚水槽用濾過装置の提供。【解決手段】底座、活性炭シート、フィルタ綿ブロック、カバーで構成され、そのうち活性炭シートは水流に比較的大面積の濾過浄化効果を提供し、上述の部品で構成されることで、良好な水質を提供して、鑑賞魚の生存率を増すことができる。【選択図】図１
0003140125.tif 000002
【実用新案登録請求の範囲】
【請求項１】
鑑賞魚水槽用濾過装置において、底座、活性炭シート、フィルタ綿ブロック、カバーで構成され、
該底座は、その内部に収容空間を具え、該収容空間にらく石ろ材が収容され、該底座の中心近い部分に気泡装置が設けられ、該気泡装置が該底座の一側に設けられたエアパイプに連通し、
該活性炭シートは、該底座上に重ね置かれ、その上面と下面に複数の貫通孔が設けられ、且つ中心部分に中孔が設けられ、該中孔に該起泡装置が挿通され、該活性炭シート内に活性炭ろ材が収容され、
該フィルタ綿ブロックは、該活性炭シート上に重ね置かれ、その中央部に収容空間が設けられ、且つ該フィルタ綿ブロックは不織布綿体で形成され、
該カバーは、該底座に閉じ合わされ、その上面の該起泡装置に対応する位置に、丘形出気孔が凸設されたことを特徴とする、鑑賞魚水槽用濾過装置。
【請求項２】
請求項１記載の鑑賞魚水槽用濾過装置において、該底座の両側に少なくとも一つの係止部が設けられ、該カバーの両側に設けられた係止片に対応し係合することを特徴とする、鑑賞魚水槽用濾過装置。
【請求項３】
請求項１記載の鑑賞魚水槽用濾過装置において、該底座の上面に出水孔が設けられ、底面に入水孔が設けられたことを特徴とする、鑑賞魚水槽用濾過装置。
【請求項４】
請求項１記載の鑑賞魚水槽用濾過装置において、該フィルタ綿ブロックの収容空間内に有用菌培養体が設けられ、該有用菌培養体が繊維材料で形成されたスポンジ体とされたことを特徴とする、鑑賞魚水槽用濾過装置。
【考案の詳細な説明】
【技術分野】
【０００１】
本考案は一種の鑑賞魚水槽用濾過装置に係り、特に、浄化、濾過、有用菌培養機能を具えた鑑賞魚水槽用濾過装置であって、水槽内の水質の浄化と濾過を行い、水中の病原菌の発生を抑制し、水質の安定と平衡を維持し、これにより鑑賞魚の生存率を増すことができる装置に関する。
【背景技術】
【０００２】
一般に水槽で鑑賞魚を飼育する時、水質の安定及び清浄を維持するために、濾過装置を取り付けて、水中の不純物（例えば飼料、排泄物等）を濾過する必要がある。周知の濾過装置の構造は、例えば特許文献１及び２のように、ろ材の組合せにより水槽内の水中の不純物を濾過する目的を達成する。
【０００３】
【特許文献１】特許第３３３７６４９号
【特許文献２】特許第３８９４５８５号
【考案の開示】
【考案が解決しようとする課題】
【０００４】
しかし、上述の特許文献１、２に記載された従来の濾過装置は、以下のような欠点を有している。
１．ただ水中の不純物を濾過できるだけで、有用菌培養機能により水質の安定を維持することはできない。
２．水流をろ材に通す方式は、まず比較的細かいろ材を通さねばならないが、水流が活性炭部分を流れる面積は有限であり、明らかな水質浄化の効果をえられない。
【課題を解決するための手段】
【０００５】
本考案は一種の、浄化、濾過、有用菌培養機能を具えた鑑賞魚水槽用濾過装置を提供し、それは、底座、活性炭シート、フィルタ綿ブロック、カバーで構成され、そのうち活性炭シートは水流に比較的大面積の濾過浄化効果を提供し、上述の部品で構成されることで、良好な水質を提供して、鑑賞魚の生存率を増す。
【０００６】
上述の本考案の底座は、その内部に収容空間を具えて楽石ろ材を置くことができ、該底座の両側に係止部が設けられ、該底座の中心近くに起泡装置が設けられて底座の一側のエアパイプに連通する。
【０００７】
上述の本考案中の活性炭シートは、該底座上に重ね置かれ、その中央部に中孔が設けられ、該起泡装置が挿通され、該活性炭シート内に活性炭ろ材が収容され、通過する水流に全面濾過浄化を行なう。
【０００８】
上述の本考案中のフィルタ綿ブロックは、該活性炭シート上に重ね置かれ、その中央部に収容空間が設けられ、且つ該フィルタ綿ブロックは不織布綿体で形成される。
【０００９】
上述の本考案中のフィルタ綿ブロックは、その収容空間内に有用菌培養体が設けられて有用菌培養を行なう。
【００１０】
上述の本考案中のカバーは、該底座を閉じることができ、その上面に複数の貫通孔が設けられ、並びに該起泡装置の位置に対応するように、丘形出気孔が凸設され、該カバーの両側に該底座の係止体に対応する係止片が設けられ、係止体と該係止片の係合により底座と相互に係合される。
【考案の効果】
【００１１】
本考案は一種の、浄化、濾過、有用菌培養機能を具えた鑑賞魚水槽用濾過装置を提供し、それは、自動循環の方式で、水質の安定と平衡を維持し、これにより良好な水質を提供し、鑑賞魚の生存率を高める。
【考案を実施するための最良の形態】
【００１２】
図１、２、３に示されるように、本考案の濾過装置１は、底座１１上に順に活性炭シート１２及びフィルタ綿ブロック１３が積み重ねられ、並びにカバー１５が嵌め合わされて上述の部品を位置制限して構成される。
【００１３】
該底座１１は、その内部に収容空間を具え、該収容空間に楽石ろ材Ａが置かれ、該底座１１の両側に係止部１１１が設けられ、該底座１１の中心近くに起泡装置１１２が設けられて底座１１の一側に設けられたエアパイプ１３に連通する。また、該底座１１の下面に少なくとも一つの入水孔１１５が設けられ、底座１１の上面に少なくとも一つの出水孔１１４が設けられる。
【００１４】
該活性炭シート１２は、該底座１１上に重ね置かれ、その上面と下面に複数の貫通孔１２２が設けられ、且つ中央部に中孔１２１が設けられ、該起泡装置１１２が挿通され、該活性炭シート１２内に活性炭ろ材Ｂが収容される。
【００１５】
該フィルタ綿ブロック１３は、該活性炭シート１２上に重ね置かれ、その中央部に収容空間１３１が設けられ、それは不織布綿体で形成される。
【００１６】
該カバー１５は、該底座１１を閉じることができ、該カバー１５の上面に複数の貫通孔１５１が設けられ、並びに該起泡装置１１２の位置に対応するように、丘形出気孔１５２が凸設され、該起泡装置１１２の作動時に、該カバー１５から流出する水流の断面積を縮減して流速を高め、該カバー１５の両側に該底座１１の係止部１１１に対応する係止片１５３が設けられ、係止部１１１と該係止片１５３の係合により該カバー１５は底座１１と相互に係合され位置制限される。
【００１７】
このような構造であり、図３、４に示されるように、空気導管２が該底座１１のエアパイプ１１３に接続されて、空気を該起泡装置１１２に輸送し、これにより空気の気泡を発生させ、酸素を含有する上向き水流を形成し、これにより圧力差による浸透効果を形成し、濾過装置１外の水を底座１１の入水孔１１５より底座１１に進入させて楽石ろ材Ａにより比較的大きな粒の不純物を濾過した後、さらにその上面の出水孔１１４より水を流出させ、並びに該活性炭シート１２に進入させる。そしてその内部に収容された活性炭ろ材Ｂにより全面的濾過及び還元浄化を行い、水中の酸化可能な有機物等の悪臭物質を除去した後、さらに該フィルタ綿ブロック１３の濾過により比較的細かい不純物例えば泥、鉄錆等の固体沈殿物を除去し、水質の安定及び平衡を維持する。最後に水流をカバー１５の丘形出気孔１５２より流出させる。
【００１８】
図５、６に示されるのは本考案の別の実施例であり、有用菌培養機能を強化するため、本考案のフィルタ綿ブロック１３の収容空間１３１内に有用菌培養体１４が設けられ、該有用菌培養体１４の中央に中孔１４１が設けられ、該起泡装置１１２がそのなかに置かれ、それは繊維材料で形成されたスポンジ体とされ、この設置により、該フィルタ綿ブロック１３を通り濾過された水は、さらに該有用菌培養体１４を流れ、有用菌培養体１４は適宜間隙を有して有用菌を付着させ生長させられ、並びにその培養した有用菌は窒素含有排泄物を効果的に分解し、病原菌の発生を抑制し、水中の生態の平衡を強化し、鑑賞魚の生存率を高める。
【図面の簡単な説明】
【００１９】
【図１】本考案の立体分解図である。
【図２】本考案の立体図である。
【図３】本考案の断面図である。
【図４】本考案の別の断面図である。
【図５】本考案の別の実施例の立体分解図である。
【図６】本考案の別の実施例の断面図である。
【符号の説明】
【００２０】
１  濾過装置
１１  底座              １１１  係止部
１１２  起泡装置        １１３  エアパイプ
１１５  入水孔          １１４  出水孔
１２  活性炭シート      １２１  中孔
１３  フィルタ綿ブロック  １２２  貫通孔
１４  有用菌培養体      １３１  収容空間
１５  カバー            １４１  中孔
１５１  貫通孔          １５２  丘形出気孔
１５３  係止片          ２  空気導管
Ａ  らく石ろ材          Ｂ  活性炭ろ材
【図１】
0003140125.tif 000003
【図２】
0003140125.tif 000004
【図３】
0003140125.tif 000005
【図４】
0003140125.tif 000006
【図５】
0003140125.tif 000007
【図６】
0003140125.tif 000008